(57)【要約】要約課題背部を適切に押さえるとともに、丸まった両肩部分を背中側に引き起こす作用をするときにその両肩部分にベルトが食い込むことのない姿勢矯正サポーターを提供する解決手段使用者の背部に接する背面部と、前記使用者の腹部にまきつけて、前記背面部をその使用者の背部に接するために配置する右腹部ベルトおよび左腹部ベルトと、前記背面部は、上部左側に配置した上部左開口部と、上部右側に配置した上部右開口部と、中部左側に配置した中部左開口部と、中部右側に配置した中部右開口部と、下部左側に配置した下部左開口部と、下部右側に配置した下部右開口部と、を具備し、前記背面部に配置した左ベルトおよび右ベルトと、を有し、前記左ベルトは、上部左開口部から出現するとともに、中部左開口部から進入し、さらに、下部右開口部から出現し、前記右腹部ベルトに取り付けられるとともに、前記右ベルトは、上部右開口部から出現するとともに、中部右開口部から進入し、さらに、下部左開口部から出現し、前記左腹部ベルトに取り付けられる使用者の姿勢を矯正する姿勢矯正サポーターである。
2020152787.tif 000002
【特許請求の範囲】
【請求項１】
使用者の背部に接する背面部と、
前記使用者の腹部にまきつけて、前記背面部をその使用者の背部に接するために配置する右腹部ベルトおよび左腹部ベルトと、
前記背面部は、上部左側に配置した上部左開口部と、上部右側に配置した上部右開口部と、中部左側に配置した中部左開口部と、中部右側に配置した中部右開口部と、下部左側に配置した下部左開口部と、下部右側に配置した下部右開口部と、を具備し、
前記背面部に配置した左ベルトおよび右ベルトと、を有し、
前記左ベルトは、上部左開口部から出現するとともに、中部左開口部から進入し、さらに、下部右開口部から出現し、前記右腹部ベルトに取り付けられるとともに、
前記右ベルトは、上部右開口部から出現するとともに、中部右開口部から進入し、さらに、下部左開口部から出現し、前記左腹部ベルトに取り付けられる使用者の姿勢を矯正する姿勢矯正サポーター。
【請求項２】
前記背面部は、使用者の背部に接する第１背面部と、前記第１背面部に配置する第２背面部とを有し、
前記第１背面部は、その上部において斜め右上方に突出するように構成され、所定の幅を有する上部右突出部と、その上部斜め左上方に突出するように構成され、所定の幅を有する上部左突出部と、
前記上部右突出部と、前記上部左突出部と、の間に、内側に湾曲した平面視凹状を呈する上部中間部とを有し、
前記第２背面部は、その上部において斜め右上方に突出するように構成され、所定の幅を有する第２上部右突出部と、その上部斜め左上方に突出するように構成され、所定の幅を有する第２上部左突出部と、
前記第２上部右突出部と、前記第２上部左突出部と、の間に、内側に湾曲した平面視凹状を呈する第２上部中間部と、を有する請求項１記載の姿勢矯正サポーター
【請求項３】
前記左ベルトは、一端部をさらに有し、前記左ベルトの一端部は、前記下部右開口部付近に固定され、
前記右ベルトは、一端部をさらに有し、前記右ベルトの一端部は、前記下部左開口部付近に固定されている請求項１または２記載の姿勢矯正サポーター。
【請求項４】
前記左ベルトおよび前記右ベルトにそれぞれ移動可能な右パッド部と左パッド部と配置する請求項１から３のいずれか１項記載の姿勢矯正サポーター。
【発明の詳細な説明】
【技術分野】
【０００１】
本発明は、使用者の姿勢を矯正する姿勢矯正サポーターに関するものである。
【背景技術】
【０００２】
正しい姿勢を維持することは、美容面のみならず健康面からも推奨されているところである。しかしながら、このような正しい姿勢をとることは、生活習慣上において容易なことではない。例えば、長時間デスクワークを強いられると、猫背となったりする場合がある。【０００３】
そこで、その猫背を矯正し、背筋の伸びた正しい姿勢にするための姿勢矯正ベルトとして、特開２００１―０１７４５６号公報が開示されている。これは、人体の肩部より胸部に装着する矯正ベルトであって、背中側で交差して、装着時肩部に掛ける２本の肩掛け用弾性ベルト（以下、肩ベルト）と、前記肩ベルトの下端部を接合し、装着時胸部下周囲に巻回される装着保持用弾性ベルト（以下、胸ベルト）と、前記肩ベルトの交差状態を保持すると共に胸ベルトを取り付け固定する背当て部よりなり、胸ベルトの両端部の相対する位置には本矯正ベルトの装着保持を可能とする接合手段を互いに設け、また、肩ベルトの上端部には装着時該上端部保持位置を可変可能な取り付け手段を設けて、背中側から肩掛けされ２本の肩ベルトの上端部を、胸部下周囲に巻回される胸ベルトの任意の位置に接合して装着することを特徴とするものである。【０００４】
しかしながら上記の姿勢矯正ベルトは、ベルトを、いわば、たすき掛けをするというものであり、使用者の背部を押さえる力に欠けるとともに、丸まった両肩部分を背中側に引き起こす作用をするときにその使用者の両肩部分にそのベルトが食い込むことになり不快である。
【先行技術文献】
【特許文献】
【０００５】
【特許文献１】特開２００１―０１７４５６号公報
【発明の概要】
【発明が解決しようとする課題】
【０００６】
本発明は前記の点に着目してなされたもので、その課題は、使用者の背部を適切に押さえるとともに、丸まった両肩部分を背中側に引き起こす作用をするときにその両肩部分にベルトが食い込むことのない姿勢矯正サポーターを提供することである。
【課題を解決するための手段】
【０００７】
前記の課題を解決するために、第１観点の姿勢矯正サポーターは、使用者の背部に接する背面部と、使用者の腹部にまきつけて、背面部をその使用者の背部に接するために配置する右腹部ベルトおよび左腹部ベルトと、背面部は、上部左側に配置した上部左開口部と、上部右側に配置した上部右開口部と、中部左側に配置した中部左開口部と、中部右側に配置した中部右開口部と、下部左側に配置した下部左開口部と、下部右側に配置した下部右開口部と、を具備し、背面部に配置した左ベルトおよび右ベルトと、を有し、左ベルトは、上部左開口部から出現するとともに、中部左開口部から進入し、さらに、下部右開口部から出現し、右腹部ベルトに取り付けられるとともに、右ベルトは、上部右開口部から出現するとともに、中部右開口部から進入し、さらに、下部左開口部から出現し、前記左腹部ベルトに取り付けられるというものである。【０００８】
第２観点の姿勢矯正サポーターは、第１観点において、背面部は、使用者の背部に接する第１背面部と、第１背面部に配置する第２背面部とを有し、第１背面部は、その上部において斜め右上方に突出するように構成され、所定の幅を有する上部右突出部と、その上部斜め左上方に突出するように構成され、所定の幅を有する上部左突出部と、上部右突出部と上部左突出部との間に、内側に湾曲した平面視凹状を呈する上部中間部とを有し、第２背面部は、その上部において斜め右上方に突出するように構成され、所定の幅を有する第２上部右突出部と、その上部斜め左上方に突出するように構成され、所定の幅を有する第２上部左突出部と、第２上部右突出部と、第２上部左突出部と、の間に内側に湾曲した平面視凹状を呈する第２上部中間部と、を有するというものである。【０００９】
第３観点の姿勢矯正サポーターは、第１観点または第２観点において、左ベルトは、一端部をさらに有し、左ベルトの一端部は、下部右開口部付近に固定され、右ベルトは、一端部をさらに有し、右ベルトの一端部は、下部左開口部付近に固定されているというものである。【００１０】
第４観点の姿勢矯正サポーターは、第１観点から第３観点において、左ベルトおよび右ベルトにそれぞれ移動可能な右パッド部と左パッド部とを配置するというものである。
【発明の効果】
【００１１】
本発明は以上のように構成され、かつ、作用するものであるから、背部を適切に押さえるとともに、丸まった両肩部分を背中側に引き起こす作用をするときにその両肩部分にそのベルトが食い込むことのない姿勢矯正サポーターを提供することができる。
【図面の簡単な説明】
【００１２】
【図１】本実施例の姿勢矯正サポーターの正面図である。
【図２】本実施例の姿勢矯正サポーターの背面図である。
【図３】姿勢矯正サポーターの第２背面部を取り外した状態の正面図である。
【図４】第１背面部から右ベルトおよび左ベルトを取り外した状態の正面図である。
【図５】本実施例の姿勢矯正サポーターを装着した状態における使用者の背部の状態図である。
【図６】本実施例の姿勢矯正サポーターを装着した状態における使用者の正面の状態図である。
【図７】Ａは、姿勢矯正サポーターにおける右腹部ベルトと左腹部ベルトとを取りつけた状態図である。Ｂは、姿勢矯正サポーターにおける右腹部ベルトに左ベルトを取りつけた状態図である。
【図８】使用者の猫背の状態から、それを矯正した状態の図である。
【発明を実施するための最良の形態】
【００１３】
以下、図示の実施形態を参照して本実施例について説明する。後述する使用者Ｐの姿勢を矯正する姿勢矯正サポーター１０は、使用者Ｐの背部Ｂ(図５)に当接する背面部２０と、使用者Ｐの胴回りＷ(図６)にまきつけて、その背面部２０をその使用者Ｐの背部Ｂに接するために配置する右腹部ベルト５０および左腹部ベルト６０と、を有する。背面部２０は、２重構造を呈し、使用者Ｐの背部Ｂに接する第１背面部２１と、その第１背面部２１を覆うように配置された第２背面部３１とを有する。また、背面部２０における第１背面部２１と、第２背面部３１との間は、互いに接するように配置されていることで、後述する右ベルト７０および左ベルト８０が、その間から抜けにくい構成となっている。【００１４】
第１背面部２１は、ほぼ伸縮性を有しない、ナイロン繊維の織物で通気性を有するようにメッシュ状に構成されており、その内部に、クッション性を有する図示しない緩衝材を配置している。また、第１背面部２１は、その周囲を囲むように縁部材２１ａによって補強されている。【００１５】
第１背面部２１は、その上部において斜め右上方に突出するように構成され、所定の幅を有する上部右突出部２２と、その上部斜め左上方に突出するように構成され、所定の幅を有する上部左突出部２３と、を有する。また、上部右突出部２２と、上部左突出部２３と、の間の上部中間部２４は、内側に湾曲した平面視凹状を呈する。このように、上部中間部２４は、内側に湾曲した平面視凹状を呈するので、使用者Ｐの背部Ｂに接する面積を可及的に少なくすることで、軽量化するとともに蒸れを防止することができる。【００１６】
また、第１背面部２１は、その下部において斜め右下方に突出するように構成され、所定の幅を有する下部右突出部２５と、その下部において斜め左下方に突出するように構成され、所定の幅を有する下部左突出部２６と、を有する。また、下部右突出部２５と、下部左突出部２６と、の間に配置した下部中間部２７は、直線状を呈する。なお、所定の幅については、後述する。【００１７】
上部右突出部２２と、下部右突出部２５と、の間の右中間部２８は、内側に湾曲した凹状を呈する。また、上部左突出部２３と、下部左突出部２６と、の間の左中間部２９は、湾曲した凹状を呈する。このように、第１背面部２１は、内側に平面視凹状を呈するように湾曲した形状を複数箇所有するので、第１背面部２１を軽量化するとともに使用者Ｐの背部Ｂに接する面積を比較的少なくすることで、姿勢矯正サポーター１０を使用者Ｐに装着した場合に、蒸れないようにすることができる。【００１８】
第２背面部３１についても、ほぼ伸縮性を有しない、ナイロン繊維の織物で通気性を有するようにメッシュ状に構成されており、その内部に、クッション性を有する図示しない緩衝材を配置している。また、第２背面部３１は、その周囲を囲むように第２縁部材３１ａによって補強されている(図１、３参照)。【００１９】
第２背面部３１は、その上部において斜め右上方に突出するように構成され、所定の幅を有する第２上部右突出部３２と、その上部斜め左上方に突出するように構成され、所定の幅を有する第２上部左突出部３３と、を有する。また、第２上部右突出部３２と、第２上部左突出部３３と、の間に配置した第２上部中間部３４は、内側に湾曲した平面視凹状を呈する(図３参照)。なお、内側に湾曲した形状を呈する第２上部中間部３４は、内側に湾曲した形状を呈する上部中間部２４と、その形状が一致するように構成することが好ましい。【００２０】
また、第２背面部３１は、その下部において斜め右下方に突出するように構成され、所定の幅を有する第２下部右突出部３５と、その下部において斜め左下方に突出するように構成され、所定の幅を有する第２下部左突出部３６と、を有する。また、第２下部右突出部３５と、第２下部左突出部３６と、の間の第２下部中間部３７は、直線状の下部中間部２７の内側に湾曲した平面視凹状を呈する。【００２１】
第２上部右突出部３２と、第２下部右突出部３５と、の間の第２右中間部３８は、上述の右中間部２８よりも内側に湾曲した平面視凹状を呈する。また、第２上部左突出部３３と、第２下部左突出部３６と、の間の左第２中間部３９は、上述の左中間部２９よりも内側に湾曲した平面視凹状を呈する。【００２２】
このような、第２背面部３１の使用者Ｐの背部Ｂに接する面積は、第１背面部２１よりも小であり、第１背面部２１に重なるように配置された第２背面部３１の蒸れを防ぐことができる。【００２３】
第１背面部２１と、第２背面部３１とのそれぞれの所定箇所を縫い付けることによって複数の開口部を背面部２０に有している。具体的には、上部右突出部２２において、第２上部右突出部３２の両脇を縫い付けることによって、背面部２０は、開口部である上部右側に配置した上部右開口部４１を有する。【００２４】
また、上部左突出部２３において、第２上部左突出部３３の両脇を縫い付けることによって、背面部２０は、開口部である上部左側に配置した上部左開口部４２を有する。【００２５】
さらに、第２右中間部３８の両脇を第１背面部２１と縫い付けることによって、背面部２０は、開口部であって、中部右側に位置し、かつ、内側に湾曲する形状を呈する中部右開口部４３を有する。【００２６】
また、第２左中間部３８の両脇を第１背面部２１と縫い付けることによって、背面部２０は、開口部であって、中部左側に位置し、かつ、内側に湾曲する形状を呈する中部左開口部４４を有する。【００２７】
下部右突出部２５と、第２下部右突出部３５と、のそれぞれの両脇を縫い付けることによって、背面部２０は、開口部であって下部右側に配置した下部右開口部４５を有する。【００２８】
下部左突出部２６と、第２下部左突出部３６と、のそれぞれの両脇を縫い付けることによって、背面部２０は、開口部であって下部左側に配置した下部左開口部４６を有する。【００２９】
また、下部中間部２７と、第２下部中間部３７との両脇と、のそれぞれの両脇を縫い付けることによって、背面部２０は、開口部であって、下部中央部に配置した下部中央開口部４７を有する。下部中央開口部４７は、第１背面部２１と第２背面部３１との間の通気性を確保し、使用者Ｐの蒸れを防止することで、快適性を確保することができる。【００３０】
上部右開口部４１と、上部左開口部４２は、それぞれ、伸びの少ない、テープ状を呈する布類で補強している。従って、上部右開口部４１と、上部左開口部４２と、における第１背面部２１と、第２背面部３１とはお互いに接した状態を呈している。【００３１】
またこれら上部右開口部４１と、上部左開口部４２との幅は、右ベルト７０および左ベルト８０の幅の１．３倍程度が好ましい。これにより右ベルト７０および左ベルト８０の動きを適度に抑制することができる。【００３２】
また、湾曲状を呈する中部右開口部４３と、湾曲状を呈する中部左開口部４４は、それぞれ、伸びの少ない、テープ状を呈する布類で補強している。従って、中部右開口部４３と、中部左開口部４４と、における第１背面部２１と、第２背面部３１とはお互いに接した状態を呈している。【００３３】
またこれら中部右開口部４３と、中部左開口部４４との幅は、右ベルト７０および左ベルト８０の幅の２倍程度が好ましい。これにより右ベルト７０および左ベルト８０の動きをそれぞれ中部右開口部４３と、中部左開口部４４とにおいて、許容することで、使用者Ｐの体格に、合わせることができる。これにより姿勢矯正サポーター１０について比較的快適な装着感を得ることができる。【００３４】
下部右開口部４５と下部左開口部４６とは、それぞれ、伸びの少ない、テープ状を呈する布類で補強している。従って、下部右開口部４５と、下部左開口部４６と、における第１背面部２１と、第２背面部３１とはお互いに接した状態を呈している。【００３５】
またこれら下部右開口部４５と下部左開口部４６との幅は、右ベルト７０および左ベルト８０の幅の１．５倍程度が好ましい。これにより右ベルト７０および左ベルト８０の動きを一定程度許容することができる。従って使用者Ｐの体格に、合わせることができ、姿勢矯正サポーター１０について比較的快適な装着感を得ることができる。【００３６】
右腹部ベルト５０は、使用者Ｐの胴回りを締め付けるための伸縮性を有し、下部右突出部２５に縫い付けることによって一体となるように構成され、帯状を呈するものである。また、右腹部ベルト５０の表面は、雌の面ファスナーが配置されている。また先端部５１の裏面には、雄の面ファスナー５２が施されている。また、右腹部ベルト５０の幅は８０ミリメートルが好ましい。なお、右腹部ベルト５０は、ポリエステル・ナイロン・ポリウレタンで構成することが好ましい。【００３７】
また、左腹部ベルト６０は、使用者Ｐの胴回りを締め付けるための伸縮性を有し、下部左突出部２６に縫い付けることによって一体となるように構成され、帯状を呈するものである。また、左腹部ベルト６０の表面は、雌の面ファスナーが配置されている。また、左腹部ベルト６０の幅は８０ミリメートルが好ましい。なお、左腹部ベルト６０は、ポリエステル・ナイロン・ポリウレタンで構成することが好ましい。【００３８】
右ベルト７０は、締め付け力を発揮するように強力な伸縮性を有し、右腹部ベルト５０より細い帯状を呈し、その一端は、背面部２０の内部である第１背面部２１と、第２背面部３１との間における下部左突出部２６付近に縫い付けることで固定されている。また、右ベルト７０は、下部左突出部２６付近から、上部右突出部２２にかけて、背面部２０の内部である第１背面部２１と、第２背面部３１との間に配置されつつ、上部右開口部４１から出現するとともに、再び、中部右開口部４４から、背面部２０の内部である第１背面部２１と、第２背面部３１との間に進入し、下部左開口部４６から出現するように配置されている。さらに下部左開口部４６から出現した右ベルト７０の他端の裏面に、雄の面ファスナー７１を有している。一方で、左腹部ベルト６０の表面に雌の面ファスナーが配置されているので、その右ベルト７０の他端の裏面に配置した雄の面ファスナー７１を、その表面に固定することができる。なお、右ベルト７０は、ナイロン・ポリウレタンで構成することが好ましい。【００３９】
また、右ベルト７０の他端の表面に雌の面ファスナー７２を有する。また、上記のとおり、右ベルト７０の他端の裏面に、雄の面ファスナー７１を有するので、右ベルト７０の他端は、３層構造となり、厚く構成されている。従って、上述のとおり、第１背面部２１と、第２背面部３１とはお互いに接した状態を呈しているそれぞれの開口部から右ベルト７０が抜けにくいという効果を奏するものである。【００４０】
左ベルト８０は、締め付け力を発揮するように強力な伸縮性を有し、左腹部ベルト６０より細い帯状を呈し、その一端は、背面部２０の内部である第１背面部２１と、第２背面部３１との間における下部右突出部２５付近に縫い付けることで固定されている。また、左ベルト８０は、下部右突出部２５付近から、上部左突出部２３にかけて、背面部２０の内部である第１背面部２１と、第２背面部３１との間に配置されつつ、上部左開口部４２から出現するとともに、再び、中部左開口部４３から背面部２０の内部である第１背面部２１と、第２背面部３１との間に進入し、下部右開口部４５から出現するように配置されている。さらに下部右開口部４５から出現した左ベルト８０の他端の裏面に、雄の面ファスナー８１を有している。一方で、右腹部ベルト５０の表面に雌の面ファスナーが配置されているので、その左ベルト８０の他端の裏面に配置した雄の面ファスナー８１を、その表面に固定することができる。なお、左ベルト８０は、ナイロン・ポリウレタンで構成することが好ましい。【００４１】
また、左ベルト８０の他端の表面に雌の面ファスナー８２を有する。また、上記のとおり、左ベルト８０の他端の裏面に、雄の面ファスナー８１を有するので、左ベルト８０の他端は、３層構造となり、厚く構成されている。従って、上述のとおり、第１背面部２１と、第２背面部３１とはお互いに接した状態を呈しているそれぞれの開口部から左ベルト８０が抜けにくいという効果を奏するものである。【００４２】
このように、右ベルト７０と、左ベルト８０とは、背面部２０の内部、即ち、第１背面部２１と、第２背面部３１との間において、第１交差部１００と第２交差部２００と、計２回交差している。このように背面部２０において２回交差する第１交差部１００と第２交差部２００とを有することで、使用者Ｐの背部Ｂに背面部２０を押し付けるように作用するとともに、使用者Ｐの両肩にかけまわした、右ベルト７０と、左ベルト８０とにおいて、その使用者の右肩ＲＳと左肩ＬＳを後ろに反らせる。これにより、丸まった両肩部分である右肩ＲＳと左肩ＬＳを背中側に引き起こすことで、使用者Ｐが胸部Ｖを張るように作用し、猫背の姿勢を矯正することができる(図５、８参照)。【００４３】
また、右ベルト７０は、右パッド部１１０を配置している。右パッド部１１０は、筒状を呈しその内側に右ベルト７０を挿入するように構成されているので、両肩部分である右肩ＲＳと左肩ＬＳに食い込むことがない。また、このように右パッド部１１０は、右ベルト７０に対し、移動可能であり、右パッド部１１０の内部にはクッション性を有する素材を使用することができる。従って、図６において破線で示した右パッド部１１０′を、右ベルト７０に沿って移動することで使用者の胸部Ｖに当接するようにできる。これにより、使用者Ｐの胸部Ｖへの当たりを軽減することができる。【００４４】
同様に、左ベルト８０は、左パッド部１２０を配置している。左パッド部１２０は、筒状を呈しその内側に左ベルト８０を挿入するように構成されている。このように左パッド部１２０は、左ベルト８０に対し、移動可能であり、左パッド部１２０の内部にはクッション性を有する素材を使用することができる。従って、図６において破線で示した左パッド部１２０′を、左ベルト８０に沿って移動することで使用者の胸部Ｖに当接するようにできる。これにより、使用者Ｐの胸部Ｖへの当たりを軽減することができる。【００４５】
上記構成の姿勢矯正サポーター１０を、使用者Ｐに対して装着する。具体的には、上部右開口部４１から出現した右ベルト７０を、使用者Ｐの右肩ＲＳに背負うように配置するとともに、上部左開口部４２から出現した左ベルト８０を、使用者Ｐの左肩ＬＳに背負うように配置する。これにより、使用者Ｐは、背面部２０を背負うことができる。上述するように、右ベルト７０は、右パッド部１１０を配置し、左ベルト８０は、左パッド部１２０を配置しているので、右ベルト７０および、左ベルト８０は、使用者Ｐの使用者Ｐの右肩ＲＳおよび左肩ＬＳにくい込むことが軽減される。【００４６】
次に、使用者Ｐの胴回りＷを締め付けるために、左腹部ベルト６０の表面に右腹部ベルト５０を取り付ける。すなわち使用者Ｐは、胴回りＷにおいて、右腹部ベルト５０の先端部５１の裏面に配置された、雄の面ファスナー５２を、左腹部ベルト６０の表面における雌の面ファスナーに取り付ける。尚、右腹部ベルト５０と、左腹部ベルト６０は、使用者Ｐの胴回りを締め付けるための強力な伸縮性を有するものである。【００４７】
次に使用者Ｐは、下部左開口部４６から出現する右ベルト７０をさらに引き付けるとともに、下部右開口部４５から出現する左ベルト８０をさらに引き付け、それぞれ、右ベルト７０の他端の裏面に配置した雄の面ファスナー７１を左腹部ベルト６０の表面における雌の面ファスナーに取り付けるとともに、左ベルト８０の他端の裏面に配置した雄の面ファスナー８１を、右腹部ベルト５０の表面における雌の面ファスナーに取り付ける。【００４８】
このように姿勢矯正サポーター１０を、使用者Ｐに対して装着すると、その使用者Ｐの左肩ＬＳに掛けられた左ベルト８０と、その使用者Ｐの右肩ＲＳに掛けられた右ベルト７０によって、使用者Ｐの右肩ＲＳと左肩ＬＳとを後方にそらすように作用するとともに、右ベルト７０と、左ベルト８０とは、背面部２０の内部、即ち、第１背面部２１と、第２背面部３１との間において、計２回交差している第１交差部１００と第２交差部２００とによって、使用者Ｐの背部Ｂを押さえる様に支えているので、丸まった両肩部分である右肩ＲＳと左肩ＬＳを背中側に引き起こすことで、猫背を矯正することができる。また、背面部２０は、複数の内側に湾曲した部分を有するので、軽量化に貢献するとともに、蒸れない構成である(図５、８参照)。
【符号の説明】
【００４９】
１０  姿勢矯正サポーター
２０  背面部
５０  右腹部ベルト
６０  左腹部ベルト
２１  第１背面部
３１  第２背面部
４１  上部右開口部
４２  上部左開口部
４３  中部右開口部
４４  中部左開口部
４５  下部右開口部
４６  下部左開口部
４７  下部中央開口部
５０  右腹部ベルト
６０  左腹部ベルト
７０  右ベルト
８０  左ベルト
１１０  右パッド部
１２０  左パッド部
【図１】
2020152787.tif 000003
【図２】
2020152787.tif 000004
【図３】
2020152787.tif 000005
【図４】
2020152787.tif 000006
【図５】
2020152787.tif 000007
【図６】
2020152787.tif 000008
【図７】
2020152787.tif 000009
【図８】
2020152787.tif 000010
【国際調査報告】
2020152787.tif 000011
2020152787.tif 000012
2020152787.tif 000013